(57)【要約】【課題】  毛髪に塗布して使用する毛髪化粧剤を速やかに毛髪に塗布できるようにする。【解決手段】  ステムを有するエアゾール缶と、各エアゾール缶のステムを同時に押下可能に構成された操作部材と、各ステムから吐出される内容物を同時に吐出させるためのノズルを有する吐出ヘッドとからなる吐出容器において、エアゾール缶には１０００〜１０００００ｃｐｓの粘度となるように生成された染毛剤組成物が収納されている。染毛作業を行うには、操作用手袋を着用して吐出容器を把持し、操作部材を操作することにより染毛剤組成物をノズルから吐出させる。その際、染毛剤組成物を染毛用のブラシ上に直接受けるようにし、そのブラシにて毛髪を梳けば、速やかに毛髪に染毛剤組成物を塗布することができる。【選択図】  図５
2005097310.tif 000002
【特許請求の範囲】
【請求項１】
ステムを有し、充填された噴射剤の圧力によって当該ステムから内容物を吐出可能なエアゾール缶からなる吐出容器に内容物として収納され、該吐出容器から吐出されて使用される毛髪化粧剤であって、
１０００〜１０００００ｃｐｓの粘度となるように生成されたことを特徴とする毛髪化粧剤。
【請求項２】
前記毛髪化粧剤は、アルカリ剤および酸化染料の少なくとも一方が含まれた第１剤と、酸化剤が含まれた第２剤とからなり、
該第１剤と該第２剤とを互いに混合することにより使用される２剤混合型であることを特徴とする請求項１に記載の毛髪化粧剤。
【請求項３】
前記毛髪化粧剤において、
前記第１剤の粘度をａ、前記第２剤の粘度をｂとしたとき、
これら各粘度の比ａ：ｂが、１：７〜７：１となるように調製したことを特徴とする請求項２に記載の毛髪化粧剤。
【請求項４】
前記毛髪化粧剤において、
前記第１剤には、カチオン性化合物が含まれ、
前記第２剤には、アニオン性化合物が含まれていることを特徴とする請求項２または請求項３に記載の毛髪化粧剤。
【請求項５】
ステムを有し、充填された噴射剤の圧力によって該ステムから内容物を排出可能なエアゾール缶と、
前記エアゾール缶の前記ステムを外部から押圧するための操作部材と、
前記操作部材を押圧することにより前記ステムから排出される内容物を外部へ吐出するための吐出部材とを備えた吐出容器に、内容物として前記請求項１に記載の毛髪化粧剤を収納したことを特徴とする毛髪化粧品。
【請求項６】
ステムを有し、充填された噴射剤の圧力によって該ステムから内容物を吐出可能な一対のエアゾール缶と、
前記一対のエアゾール缶を互いに連結するための連結部材と、
前記一対のエアゾール缶の前記ステムを外部から同時に押圧するための操作部材と、
前記操作部材を押圧することにより前記各ステムから排出される内容物を外部へ吐出するための吐出部材と
を備えた同時吐出容器の各エアゾール缶に、内容物として請求項２〜４のいずれか記載の毛髪化粧剤を構成する第１剤および第２剤を夫々収納したことを特徴とする毛髪化粧品。
【請求項７】
前記エアゾール缶の内側には内袋が設けられ、
該内袋に前記毛髪化粧剤が収納されることにより、充填された噴射剤と該毛髪化粧剤とが互いに混じり合わないようになっていることを特徴とする請求項５または請求項６に記載の毛髪化粧品。
【請求項８】
請求項１〜４のいずれかに記載した毛髪化粧剤の使用方法であって、
前記毛髪化粧剤を収納した吐出容器から前記毛髪化粧剤を直接塗布用のブラシ上に吐出させ、該ブラシにて毛髪を梳くことにより、前記毛髪化粧剤を毛髪に塗布することを特徴とする毛髪化粧剤の使用方法。
【発明の詳細な説明】
【技術分野】
【０００１】
本発明は、エアゾール缶に収納され、エアゾール缶から吐出されて使用される毛髪化粧剤、及び、毛髪化粧剤を吐出容器に収納した毛髪化粧品、並びに、毛髪化粧剤の使用方法に関する。
【背景技術】
【０００２】
従来より、毛髪化粧剤をエアゾール缶に収納し、使用時にはそのエアゾール缶から毛髪化粧剤を吐出させるようにした毛髪化粧品が知られている。
そして、このような毛髪化粧剤は、利用者が要望する化粧態様に合わせ、しかも、適正な化粧効果を奏するようにするため、液状〜クリーム状等、種々の剤型に調製されている。
【０００３】
また、毛髪化粧品を使用する際には、毛髪化粧剤を直接毛髪上に吐出した後に、ブラシにて毛髪化粧剤と毛髪とを一緒に梳いたり、毛髪化粧剤を直接、手のひら上に吐出し、適度に手のひら上に広げた後に毛髪に塗布し、さらに、ブラシを用いて化粧剤と毛髪とを一緒に梳くことにより、毛髪化粧剤を毛髪に塗布して化粧するのが一般的である。
【０００４】
特に、エアゾール容器に収納して使用する毛髪化粧剤の中でも、染毛剤や脱色剤等においては、化粧効果を高めるために、泡状、クリーム状、ゲル状、ペースト状等、粘稠な剤型に調製されるのが一般的である。
【０００５】
また、このような染毛剤、あるいは脱色剤には、構成する組成物が全て混合された状態にてエアゾール缶に収納される単剤型のものや、酸化染料中間体を含有する第１剤と、酸化剤を含有する第２剤とからなり、第１，第２剤が互いに独立したエアゾール容器にそれぞれ収納され、使用時にはそれらを混合するようになっている２剤型のものが知られている。
【０００６】
そして、単剤型の染毛剤や脱色剤等を使用する場合には、エアゾール缶から一旦トレイ上に吐出し、ヘラや刷毛等ですくって毛髪に塗布して化粧するようにしているものが多い。また、特に、２剤型の染毛剤や脱色剤を使用する場合には、第１，第２剤を各エアゾール缶からトレイ上に吐出し、ヘラや刷毛等にて第１，第２剤を混合した後に、毛髪に塗布するようにしているものが多い。
【発明の開示】
【発明が解決しようとする課題】
【０００７】
ところで、特に、２剤型の染毛剤は、無色の低分子の酸化染料中間体を毛髪繊維中に浸透させ、この毛髪繊維中で酸化重合を行わせることにより、色素塩基を生成させ、この色素塩基を毛髪繊維の酸性基に化学結合させて染色するものである。そして、この２剤型の染毛剤を使用する場合には、使用する直前に第１剤と第２剤とを混合するのが一般的である。
【０００８】
しかし、従来より、このような２剤型の染毛剤を使用する場合に、混合直後に染毛した毛髪と、混合後にしばらくしてから染毛した毛髪とでは、染毛状態（例えば、色の濃淡等）が異なることが知られていた。
【０００９】
そこで、本発明者等は、２剤型の染毛剤に使用される代表的な酸化染料中間体と、酸化剤とを混合し、混合後の酸化染料中間体の残存量を測定する実験を行った。
図８は、その実験結果を示すグラフである。尚、図８において、横軸は酸化染料中間体と酸化剤との混合後の経過時間［分］を示し、縦軸は、混合後の酸化染料中間体の残存量を混合前の酸化染料中間体の量に対する混合後の酸化染料中間体の量の比［％］で表したものを示す。
【００１０】
本実験では、酸化染料中間体として、パラフェニレンジアミン、パラアミノフェノール、メタアミノフェノール、レゾルシンを用い、酸化剤として、過酸化水素水を用いた。
実験の結果、これら４種の酸化染料中間体は、全て混合後において、それらの残存量が減少し、特に、混合後１０分以内に２０〜３０％の酸化染料中間体が減少することが判明した。このように、酸化染料中間体と酸化剤との混合後に、酸化染料中間体が減少してしまうのは、酸化染料中間体が酸化剤と速やかに酸化重合を起こしてしまうためである。
【００１１】
そして、このような現象が実際に染毛中に発生すると、染毛開始箇所と染毛終了箇所とで色の濃淡が異なるようになる（即ち、塗りムラが発生する）。
また、特に、２剤型の染毛剤が、高い粘度を有する剤型の場合には、第１，第２剤が混合されにくくなり、これら第１，第２剤を混合する作業には多くの時間を費やす必要があるため、混合終了時には酸化染料中間体の酸化重合が進行してしまい、染毛開始時には、既に本来備えている染毛能力よりも低い染毛能力しか発揮できなくなってしまう。
【００１２】
しかも、一般に、２剤型だけでなく単剤型の染毛剤や脱色剤には、構成材料として刺激臭を有するものが使用されている場合が多く、エアゾール容器から染毛剤を吐出させて塗布するのに時間を費やしたりすると、刺激臭が立ちこめて不快である。さらに、２剤型の染毛剤や脱色剤の場合には、第１，第２剤の混合作業に時間を費やすと、より刺激臭が立ちこめて不快である。
【００１３】
また、２剤型の脱色剤には、過酸化水素が含有されているため、吐出させて塗布するまでに時間を費やしたりすると、過酸化水素が分解し始め、本来有するべき脱色能力よりも低い脱色能力しか発揮できなくなってしまう。さらに、２剤型の脱色剤の場合には、第１，第２剤の混合作業に時間を費やすと、より過酸化水素が分解するので、益々脱色能力が低下することになる。
【００１４】
本発明は、こうした問題に鑑みなされたものであり、毛髪に塗布して使用する毛髪化粧剤の操作性を高め、速やかに毛髪に塗布できるようにすることを目的とする。
【課題を解決するための手段，発明の実施の形態及び発明の効果】
【００１５】
かかる目的を達成するためになされた請求項１に記載の発明は、ステムを有し、充填された噴射剤の圧力によって当該ステムから内容物を吐出可能なエアゾール缶からなる吐出容器に内容物として収納され、該吐出容器から吐出されて使用される毛髪化粧剤であって、１０００〜１０００００ｃｐｓの粘度となるように生成されたことを特徴とする。
【００１６】
先に述べたように、毛髪化粧品に用いられる毛髪化粧剤は、使用目的や使用対象物に合わせ、種々の剤型に調製される。例えば、一般的な剤型としては、泡状、ゲル状、ジェリー状、ペースト状、クリーム状等が挙げられる。
【００１７】
そして、使用者が操作することにより、収納した内容物を外部に吐出可能に構成した吐出容器、特に、エアゾール缶からなる吐出容器に内容物として毛髪化粧剤を収納した場合には、吐出容器から外部に容易に毛髪化粧剤を吐出させる必要があるため、適度に流動する粘度を有するように毛髪化粧剤を調製する必要がある。
【００１８】
尚、毛髪化粧剤が高い粘性を有する場合には、その毛髪化粧剤を毛髪に塗布する際に、毛髪に付着しにくくなることがあり、化粧操作に支障を来すだけでなく、毛髪化粧剤が十分に塗布された部分と、そうでない部分とが混在する状態である塗りムラを引き起こしてしまう。
【００１９】
そこで、本発明（請求項１）に記載のように、エアゾール缶からなる吐出容器に収納する毛髪化粧剤を１０００〜１０００００ｃｐｓの粘度の範囲内にて生成するのが望ましい。このように、毛髪化粧剤の粘度が１０００〜１０００００ｃｐｓの範囲内にあれば、この毛髪化粧剤をエアゾール缶からなる吐出容器に収納して使用する際には、吐出容器から毛髪化粧剤が吐出され易くなり、しかも、毛髪に毛髪化粧剤が付着し易くなる。また、毛髪化粧剤を化粧したい毛髪領域全体にスムーズに延ばすことができ、しかも、毛髪に均一に塗布することができるので、塗布ムラを伴うことなく、毛髪化粧剤の効果を十分に発揮させることが可能となる。
【００２０】
特に、５０００〜５００００ｃｐｓの粘度の範囲内の毛髪化粧剤は、エアゾール缶からなる吐出容器からブラシ上に吐出してもブラシから垂れ落ちることがなく、しかも、その毛髪化粧剤を毛髪に塗布すると均一な染毛効果を得ることが可能となる。従って、毛髪化粧剤を５０００〜５００００ｃｐｓの粘度の範囲内にて生成するのが好ましい。
【００２１】
ところで、毛髪化粧剤の化粧効果（例えば、染毛効果や脱色効果等）を高めるためには、請求項１に記載の毛髪化粧剤を請求項２に記載のように、アルカリ剤および酸化染料の少なくとも一方が含まれた第１剤と、酸化剤が含まれた第２剤とから構成し、毛髪化粧剤を使用する際には、第１剤と第２剤とを互いに混合するようにするのがよい。
【００２２】
そして、毛髪化粧剤が染毛剤の場合の第１剤を構成する組成物としては、ｐ−トルイレンジアミン、ｐ−フェニレンジアミン、ｐ−メチルアミノフェノール、４−ニトロ−ｏ−フェニレンジアミン、１−アミノ−４−メチルアントラキノン、ポリオキシエチレン（９）ラウリルエーテル、ポリオキシエチレン（１５）ノニルフェニルエーテル、ポリオキシエチレン（５．５）セチルエーテル、ポリオキシエチレン（２０）セチルエーテル、塩化ステアリルトリメチルアンモニウム、セチル硫酸ナトリウム、臭化セチルトリメチルアンモニウム、第４級窒素含有セルロースエーテル、セチルアルコール、セタノール、ワセリン、ステアリン酸、プロピレングリコール、ヒドロキシエチルセルロース、ヒドロキシエチルセルロースヒドロキシプロピルトリメチルアンモニウムクロリドエーテル、エデト酸二ナトリウム、アスコルビン酸、無水亜硫酸ナトリウム、ＥＤＴＡナトリウム、２８％アンモニア水およびモノエタノールアミン、精製水等を用いることができる。
【００２３】
一方、染毛剤の場合の第２剤を構成する組成物としては、過酸化水素水、フェナセチン、１−ヒドロキシエタン−１，１−ジホスホン酸、１−ヒドロキシエタン−１，１−ジホスホン酸四ナトリウム、セタノール、ジメチルポリシロキサン、ポリオキシエチレンアルキルエーテル、グリセリン、ポリエチレングリコール４００、ポリオキシレン（２）ノニルフェニルエーテル、ポリオキシレン（１５）セチルエーテル、ラウリル硫酸ナトリウム、ヒドロキシエチルセルロース、精製水等を用いることができる。
【００２４】
そして、毛髪化粧剤が脱色剤の場合には、上記した染毛剤組成物における染料成分を省略すればよいが、第１，第２剤を以下に示すように生成してもよい。
即ち、脱色剤の場合の第１剤を構成する組成物としては、イソプロパール、ポリオキシエチレンオクチルフェニルエーテル、イソステアリン酸、ポリオキシエチレンオレイルエーテル、プロピレングリコール、ケラチン蛋白加水分解物、ピロリドンカルボン酸ナトリウム、アンモニア水、イオン交換水等を用いることができる。
【００２５】
また、脱色剤の場合の第２剤を構成する組成物としては、過酸化水素水、リン酸緩衝液、メチルパラベン、錫酸ナトリウム、流動パラフィン、ステアリルアルコール、ラウリル硫酸ナトリウム、ポリオキシエチレンセチルエーテル、イオン交換水等を用いることができる。
【００２６】
更に、毛髪化粧剤が染毛剤組成物または脱色剤組成物に関わらず、増粘剤や香料等を必要に応じて適宜添加してもよい。
そして、酸化剤としては、過酸化水素水、過酸化尿素等を含有する周知のものを使用してもよい。更に、酸化剤には、フェセナチン、ＥＤＴＡ等の安定剤、界面活性剤、油脂類、高級アルコール、酸、ｐＨ調製剤等を必要に応じて適宜添加してもよい。
【００２７】
尚、このような組成物からなる毛髪化粧剤を収納するエアゾール缶の形成材料としては、腐食に強い性質を有するブリキまたはアルミニウムを用いるのがよい。
ところで、先に述べたように、２剤型の毛髪化粧剤においては、第１，第２剤を混合する際に時間を費やすようなことがあると、添加した組成物同士の酸化重合が進行し、毛髪に毛髪化粧剤を塗布する際には、毛髪化粧剤の化粧能力（例えば、染毛能力、脱色能力など）が低下してしまい、毛髪化粧剤の効果が十分に発揮できなくなる。
【００２８】
そして、２剤型の毛髪化粧剤においても１０００〜１０００００ｃｐｓの粘度の範囲内であれば、第１，第２剤とを速やかに混合することが可能であるが、特に、夫々５０００〜５００００ｃｐｓの粘度の範囲内は、更に速やかに混合することが可能となり、しかも、その毛髪化粧剤を毛髪に塗布すると均一な染毛効果を得ることが可能となるので好ましい。
【００２９】
また、第１，第２剤を尚一層速やかに混合するには、第１，第２剤が夫々１０００〜１０００００ｃｐｓの粘度の範囲内であって、かつ、請求項３に記載のように、第１剤の粘度をａ、第２剤の粘度をｂとしたとき、粘度比ａ：ｂが、１：７〜７：１の範囲内となるように第１，第２剤を構成すればよい。特に、粘度比ａ：ｂが、１：３〜３：１の範囲内の時の混合性が最も良好である。このようにすれば、混合作業に費やす時間を少なく済ませることが可能となる。
【００３０】
そして、請求項４に記載のように、第１剤にカチオン性化合物を添加し、第２剤にアニオン性化合物を添加してもよい。このように構成された第１，第２剤を混合すると、カチオン性化合物とアニオン性化合物とが互いにイオン結合し始め、最終的にはコンプレックス（錯体）を形成して安定化する。その際、カチオン性，アニオン性化合物の周囲に、酸化染料中間体や酸化剤が存在すると、これらカチオン性，アニオン性化合物の移動に伴い、カチオン性，アニオン性化合物以外の第１，第２剤の組成物がそれらカチオン性，アニオン性化合物に引き寄せられて、ついには第１，第２剤が互いに混合されるようになる。そのため、本発明（請求項４）によれば、第１，第２剤が混合され易くなり、速やかに毛髪に塗布することが可能となる。
【００３１】
また、カチオン性化合物とアニオン性化合物の配合比が５０：１〜１：５０の範囲内となるように、第１剤および第２剤を生成すれば、イオン結合が速やかに行われるので、第１，２剤をさらに速やかに混合することができる。そして、第１剤に添加するカチオン性化合物の配合量は、第１，第２剤全体に対して０．１〜２０重量％となるのが望ましい。一方、第２剤に添加するアニオン性化合物の配合量は、第１，第２剤全体に対して０．１〜２０重量％となるのが望ましい。
【００３２】
尚、アニオン性化合物を第１剤、カチオン性化合物を第２剤に添加した場合も同様の効果が認められるが、過酸化水素とカチオン性化合物とが共存すると、エアゾール缶の腐食を促進させる可能性があるためあまり好ましくない。
【００３３】
以下に毛髪化粧剤に使用可能なカチオン性化合物およびアニオン性化合物を例示する。
＜カチオン性化合物＞
１．カチオン性界面活性剤
塩化アルキルトリメチルアンモニウム、塩化ラウリルトリメチルアンモニウム、塩化セチルトリメチルアンモニウム、臭化セチルトリメチルアンモニウム、塩化ステアリルトリメチルアンモニウム、臭化ステアリルトリメチルアンモニウム、臭化ラウリルトリメチルアンモニウム、塩化ジアルキルジメチルアンモニウム、塩化ジセチルジメチルアンモニウム、塩化ジステアリルジメチルアンモニウム、塩化ジココイルジメチルアンモニウム、塩化ミリスチルジメチルベンジルアンモニウム、塩化ステアリルジメチルベンジルアンモニウム、エチル硫酸ラノリン脂肪酸アミノプロピルエチルジメチルアンモニウム、塩化ポリオキシプロピレンメチルジエチルアンモニウムなどが挙げられる。
【００３４】
２．カチオン性高分子
カチオン化セルロース誘導体、カチオン化グアーガム、４級化ポリビニルピロリドン誘導体、ジアリル第４級化アンモニウム塩重合物誘導体等に代表されるカチオン性誘導体等が挙げられ、好ましくは含窒素カチオン性高分子、例えば  ヒドロキシエチルセルロースジメチルジアリルアンモニウムクロリド共重合体、ヒドロキシエチルセルロースヒドロキシプロピルトリメチルアンモニウムクロリド、ビニルピロリドン・ジメチルアミノエチルメタクリル酸共重合体のカチオン化物、ジメチルジアリルアンモニウムクロリドのホモポリマー、ジメチルジアリルアンモニウムクロリド・アクリルアミド共重合体、ジメチルジアリルアンモニウムクロリド・アクリル酸共重合体等が挙げられる。
【００３５】
尚、市販品としては、ポリマーＪＲ−１２５、ポリマーＪＲ−４００、ポリマーＬＲ−４００（ユニオンカーバイド社製）、セルコートＬ−２００、セルコートＨ−６０（ナショナルスターチ社製）、マーコート１００、マーコート５００（カルゴン社製）等が挙げられる。
【００３６】
＜アニオン性化合物＞
１．アニオン性界面活性剤
ラウリン酸ナトリウム、ミリスチン酸ナトリウム、パルミチン酸ナトリウム、ステアリン酸ナトリウム等の石けん類、ポリオキシエチレンラウリルエーテル硫酸ナトリウム、ポリオキシエチレンミリスチルエーテル硫酸トリエタノールアミン等のポリオキシエチレンアルキルエーテル硫酸塩、ドデシルベンゼンスルホン酸ナトリウム、ドデシルベンゼンスルホン酸トリエタノールアミン等のアルキルベンゼンスルホン酸塩、α−オレフィンスルホン酸塩、アルキル燐酸塩、ジアルキルスルホコハク酸塩、ポリオキシエチレンアルキルエーテル燐酸塩、ステアロイルメチルタウリンナトリウム等のＮ−アシルメチルタウリン塩、ラウリル硫酸ナトリウム等のアルキル硫酸エステル塩等が挙げられる。
【００３７】
２．アニオン性高分子化合物
カードラン、プルラン、ヒアルロン酸、アルギン酸ナトリウム、ペクチン、トラガントガム、ジュランガム、キサンタンガム、カルボキシメチルでんぷん等の天然高分子化合物、カルボキシビニルポリマー、ポリアクリル酸、ポリアクリル酸ナトリウム等の合成高分子化合物、カルボキシメチルセルロース等の半合成高分子化合物が挙げられる。
【００３８】
尚、市販品としては、ジュンロンＰＷシリーズ、レオジックシリーズ（日本純薬）、カーボポールシリーズ、ＰＥＭＵＬＥＮシリーズ、ＥＴＤシリーズ（ＢＦグッドリッチ）等が挙げられる。
【００３９】
また、毛髪化粧剤が染毛剤の場合には、染毛剤組成物として、パラフェニレンジアミン、パラトルイレンジアミン、Ｎ，Ｎ−ビス（２−ヒドロキシエチル）−ｐ−フェニレンジアミン、ｐ−アミノフェノール、ｐ−アミノ−ｏ−クレゾール、４，４’−ジアミノジフェニルアミン、２−クロル−ｐ−フェニレンジアミン、ｐ−メチルアミノフェノール、ｍ−アミノフェノール、ハイドロキノン、レゾルシン、ｏ−アミノフェノール、フロログルシン、２−ニトロ−ｐ−フェニレンジアミン、４−ニトロ−ｏ−フェニレンジアミン、カテコール、ピロガロール、Ｎ−フェニル−ｐ−フェニレンジアミン、１，４−ジアミノアントラキノン、２，４−ジアミノフェノキシエタノール、５−（２−ヒドロキシエチルアミノ）−２−メチルフェノールおよびこれらの塩から選択される成分を添加することができる。これらの染毛剤組成物は、毛髪の染色性に優れているので好適である。
【００４０】
尚、塩とは、例えば、有機酸の塩あるいは無機酸の塩、すなわち硫酸塩、塩酸塩、リン酸塩、酢酸塩、プロピオン酸塩、乳酸塩、クエン酸塩等で、特に限定はない。
ところで、請求項１に記載の毛髪化粧剤を毛髪化粧品として一般に流通させるには、請求項５に記載のように、ステムを有し、充填された噴射剤の圧力によって該ステムから内容物を排出可能なエアゾール缶と、前記エアゾール缶の前記ステムを外部から押圧するための操作部材と、前記操作部材を押圧することにより前記ステムから排出される内容物を外部へ吐出するための吐出部材とを備えた吐出容器に、内容物として前記毛髪化粧剤を収納すればよい。
【００４１】
このような吐出容器は、操作部材の押下に伴ってステムが押し下げられると、充填された噴射剤の圧力により、収納容器内の毛髪化粧剤がステムから排出され、更に、ノズルから吐出するようなっているだけなので、若年者から年配者まで誰でも簡単に操作を行うことができる。
【００４２】
尚、請求項２〜４に記載の２剤型の毛髪化粧剤の場合においても、第１，第２剤をそれぞれ独立させて請求項５に記載の吐出容器に収納することができる。そして、独立した吐出容器に収納された２剤型の毛髪化粧剤を使用する際に、各吐出容器から混合しつつ吐出するようにすれば、速やかに毛髪に塗布することができる。
【００４３】
特に、請求項２〜４に記載の２剤型の毛髪化粧剤を毛髪化粧品として一般に流通させるには、請求項６に記載のように、ステムを有し、充填された噴射剤の圧力によって該ステムから内容物を吐出可能な一対のエアゾール缶と、前記一対のエアゾール缶を互いに連結するための連結部材と、前記一対のエアゾール缶の前記ステムを外部から同時に押圧するための操作部材と、前記操作部材を押圧することにより前記各ステムから排出される内容物を外部へ吐出するための吐出部材とを備えた同時吐出容器に内容物として毛髪化粧剤を収納するのが望ましい。
【００４４】
このように、請求項６に記載の同時吐出容器は、操作部材の押下に伴ってステムが押し下げられると、充填された噴射剤の圧力により、第１，第２のエアゾール缶内の毛髪化粧剤が各ステムから排出され、更に、合流された状態でノズルから吐出されるようになっている。そして、同時吐出容器の操作は請求項５に記載の吐出容器と同様の効果が得られるだけでなく、しかも、第１，第２剤を互いに混合するといった作業をなくすことも可能であるため、速やかに毛髪に塗布することができる。
【００４５】
また、請求項７に記載のように、エアゾール缶の内側に内袋を設け、この内袋に毛髪化粧剤を収納すると、充填された噴射剤と毛髪化粧剤とが互いに混じり合うことがないので、毛髪化粧剤が変質してしまうことを防止することができる。また、エアゾール缶に高い圧力を持った噴射剤を充填すると、内袋全体を高い圧力にて押圧することができるので、内袋に収納された毛髪化粧剤をもれなく排出することができる。したがって、毛髪化粧剤を無駄なく、全て使い切ることができる。
【００４６】
尚、噴射剤としては、窒素ガス、液化石油ガス、ジメチルエーテル等を使用することができる。そして、内袋に収納した毛髪化粧剤に悪影響を及ぼさない点から不活性な性質を有する窒素ガスを用いるのが好ましい。
【００４７】
一方、内袋の構成材料としては、変形可能な材質が好ましく、例えば、高密度ポリエチレン（ＨＤＰＥ）、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の合成樹脂、およびこれらの積層体を用いることができる。
【００４８】
また、特に、第１剤を収納する内袋としては、内面をエポキシフェノール樹脂、エポキシユリア樹脂、エポキシアミノ樹脂あるいはエポキシアミン樹脂でコートしたアルミニウム（以下、内面コートアルミニウムという）を用いてもよく、特に、ＬＤＰＥ、ＬＬＤＰＥを用いると、内袋に収納する内容物の残量を少なくすることが可能となるので好ましい。
【００４９】
一方、第２剤を収納する内袋としては、第１剤を収納する内袋と同様に、ＬＤＰＥ、ＬＬＤＰＥを用いると、内袋に収納する内容物の残量を少なくすることが可能となるので好ましい。
【００５０】
尚、第１剤による収納容器の腐食を防止するために、第１剤を収納する収納容器の内面をエポキシフェノール樹脂、エポキシユリア樹脂、エポキシアミノ樹脂、エポキシアミン樹脂のシングルコート、ダブルコート、あるいは、トリプルコートで塗装するのがよい。
【００５１】
そして、第２剤による収納容器の腐食を防止するために、第２剤を収納する収納容器の内面をポリアミドイミド系樹脂で塗装するのが、耐薬品性の点で最も好ましい。
特に、以上に述べた２剤型の毛髪化粧剤においては、毛髪化粧剤を外部に吐出可能に構成された吐出容器に収納し、毛髪に毛髪化粧剤を塗布する際には、毛髪化粧剤を吐出容器から混合用トレイの上などに吐出して混合し、刷毛を使用して毛髪に塗布する等、種々の使用方法が考えられる。
【００５２】
しかし、使用する際に、いちいちトレイ上に吐出して混合するのは、混合作業が煩雑になるだけでなく、混合作業に時間を費やすことになり、曳いては、毛髪化粧剤の化粧効果の低下を引き起こす可能性がある。また、混合作業に、トレイ、混合用のマドラ等、複数の作業具が必要となる。
【００５３】
そこで、請求項８に記載のように、毛髪化粧剤を塗布用のブラシ上に直接吐出し、この状態のブラシにて毛髪を梳くのが望ましい。このようにすることで、速やかに毛髪化粧剤を毛髪に塗布することができ、染毛作業をスムーズに行うことが可能となる。また、毛髪化粧剤をブラシ上に吐出して毛髪を梳くだけなので、複雑な作業もなく、若年者から年配者まで誰でも簡単に行える。
【００５４】
このように、ブラシ上に直接吐出して使用するのは、２剤型の毛髪化粧剤に限らず、単剤型、あるいは３剤型等の複数混合型の毛髪化粧剤にて行ってもよい。その場合においても、２剤型の毛髪化粧品と同様の効果を得ることができる。
【００５５】
また、本発明（請求項８）では、ブラシ以外の混合用トレイや刷毛等の作業具等を用いる必要がないため、使用者としては、これらの作業具の準備や使用後の洗浄等の作業が必要なくなるので便利である。また、毛髪化粧剤メーカとしては、ブラシ以外の作業具を添付する必要がなくなるため、毛髪化粧剤製品のコスト低下を図ることが可能となる。
【００５６】
尚、操作時に、手に毛髪化粧剤が付着するのを防止するために、合成樹脂製の手袋を着用するとよい。
また、ブラシとしては種々の形態のものを用いることができるが、例えば、ブラシ歯を植設するための台（以下、ブラシ台という）の端部にブラシ歯が適度な間隔を空けて植設され、そのブラシ歯に囲まれたブラシ台の中央領域に毛髪化粧剤を吐出するようにしたものを用いれば、吐出された毛髪化粧剤がブラシから垂れ落ちるのをブラシ歯によって防ぐことができる。更に、ブラシ台において、ブラシ歯に囲まれた領域内に複数の突起を設ければ、このブラシ歯に毛髪化粧剤が付着するので、尚一層毛髪化粧剤が垂れ落ちるのを防止することが可能となる。
【００５７】
そして、一般に使用されている合成樹脂製のブラシ上に、請求項１に記載のような粘性範囲内（１０００〜１０００００ｃｐｓ）の毛髪化粧剤を吐出すると、毛髪化粧剤がブラシ上に残留しにくくなり、ブラシ上の毛髪化粧剤のほとんど全てを毛髪に付着させることができる。また、毛髪化粧剤がブラシ上に残留しにくくなることで、新たに吐出した毛髪化粧剤と以前に吐出した毛髪化粧剤とが混合されてしまうことがなく、塗りムラの発生を未然に防止することが可能となる。
【００５８】
そして、請求項６に記載の吐出容器からなる毛髪化粧品を使用する際には、ほぼ混合された状態でブラシ上に吐出することができるので、そのブラシにて毛髪を梳けば、速やかに毛髪に毛髪化粧剤を塗布することができる。したがって、尚一層、染毛作業をスムーズに行うことが可能となる。
【実施例】
【００５９】
以下、本発明を具体化した各実施例について説明する。
各実施例では、本発明の毛髪化粧剤および毛髪化粧品を用い、本発明の毛髪化粧剤の使用方法にて毛髪化粧剤を毛髪等に塗布することによりそれらの評価を行った。以下に、その内容を詳細に説明する。
（実施例１〜５、比較例１〜３）
実施例１〜５および比較例１〜３の毛髪化粧剤には、第１，第２剤を混合して使用する２剤型の染毛剤を用いた。
【００６０】
まず、各実施例１〜５および比較例１〜３の実施内容について表１，２、並びに後述する表３，４を用いて説明する。
【００６１】
【表１】
2005097310.tif 000003
【００６２】
【表２】
2005097310.tif 000004
【００６３】
尚、表１および表２中に示した粘度［ｃｐｓ］は、Ｂ型粘度計にて計測した値である。
実施例１における毛髪化粧品の染毛剤は、第１剤が表１中の処方型１−ａにて調製され、第２剤が表２中の処方型２−ａにて調製されている。そして、第１，第２剤はそれぞれ独立した状態で吐出容器に収納されている。尚、以下において吐出容器とは、図１および図２に示した後述する吐出容器２を指す。
【００６４】
実施例２における毛髪化粧品の染毛剤は、第１剤が表１中の処方型１−ａにて調製され、第２剤が表２中の処方型２−ａにて調製されている。そして、第１，第２剤は同時吐出容器に収納されている。尚、以下において同時吐出容器とは、図３および図４に示した後述する同時吐出容器２０を指す。
【００６５】
実施例３における毛髪化粧品の染毛剤は、第１剤が表１中の処方型１−ａにて調製され、第２剤が表２中の処方型２−ｂにて調製されている。そして、第１，第２剤は同時吐出容器に収納されている。
【００６６】
実施例４における毛髪化粧品の染毛剤は、第１剤が表１中の処方型１−ｂにて調製され、第２剤が表２中の処方型２−ｂにて調製されている。そして、第１，第２剤は同時吐出容器に収納されている。
【００６７】
実施例５における毛髪化粧品の染毛剤は、第１剤が表１中の処方型１−ｃにて調製され、第２剤が表２中の処方型２−ａにて調製されている。そして、第１，第２剤は同時吐出容器に収納されている。
【００６８】
そして、以上の各実施例１〜５と比較するために、これら実施例１〜５の実施と同時に、比較例１〜３を以下に示す内容にて実施した。
比較例１における毛髪化粧品の染毛剤は、第１剤が表１中の処方型１−ａにて調製され、第２剤が表２中の処方型２−ａにて調製されている。そして、第１，第２剤はそれぞれ独立した状態で周知のチューブ（図示略）に収納されている。
比較例２における毛髪化粧品の染毛剤は、第１剤が表１中の処方型１−ａにて調製され、第２剤が表２中の処方型２−ａにて調製されている。そして、第１，第２剤はそれぞれ独立した状態でチューブに収納されている。
【００６９】
比較例３における毛髪化粧品の染毛剤は、第１剤が表１中の処方型１−ａにて調製され、第２剤が表２中の処方型２−ａにて調製されている。そして、第１，第２剤はそれぞれ独立した状態で吐出容器に収納されている。
【００７０】
ところで、図１は、実施例１および比較例３で使用する吐出容器２の概略構成を示す分解斜視図、図２はその吐出容器の外観を示す斜視図である。
吐出容器２は、エアゾール缶４、吐出ヘッド６からなる。そして、エアゾール缶４には、押下すると収納された毛髪化粧剤を外部に吐出できるステム８がマウンティンカップ１０に設けられている。また、吐出ヘッド６には、ステム８を押下できる操作部材１４が吐出ヘッド６に連結部材１２にて連結されている。更に、操作部材１４には、ステム８から排出された毛髪化粧剤を外部に吐出できる吐出部材としてのノズル１６が設けられている。
【００７１】
吐出容器２を図２に示す状態、即ち、操作部材１４をステム８に係合させた状態とし、操作部材１４の押下に伴ってステム８が押し下げられると、エアゾール缶４内の毛髪化粧剤は、収納された噴射剤（窒素ガス）の圧力によりステム８から排出され、さらにノズル１６から吐出される。
【００７２】
また、図３は、実施例２〜５で使用する同時吐出容器２０の概略構成を示す分解斜視図、図４はその同時吐出容器２０の外観を示す斜視図である。
同時吐出容器２０は、第１剤を収納するエアゾール缶２２ａ、第２剤を収納するエアゾール缶２２ｂ、各エアゾール缶２２ａ，２２ｂを連結固定する連結部材２４、吐出ヘッド２６からなる。そして、各エアゾール缶２２ａ，２２ｂには、押下すると収納された内容物を外部に吐出できるステム２８がマウンティンカップ３０に設けられている。また、吐出ヘッド２６には、各ステム２８を押下できる操作部材３２が設けられている。更に、操作部材３２は、各ステム２８から排出された内容物を混合するように構成され、そして、操作部材３２には、外部に内容物を吐出できる吐出部材としてのノズル３４が設けられている。
【００７３】
同時吐出容器２０を図４に示す状態、即ち、吐出ヘッド２６を互いに連結固定されたエアゾール缶２２ａ，２２ｂに係合させた状態とし、操作部材３２の押下に伴ってステム２８が押し下げられると、エアゾール缶２２ａ，２２ｂ内の第１，第２剤は、収納された噴射剤（窒素ガス）の圧力によりステム２８から排出され、更に、互いに混合されつつノズル３４から吐出される。
【００７４】
尚、図４に示すように、各エアゾール缶２２ａ，２２ｂをより強い固定力にて連結固定させるために、シュリンクフィルム３６を、各エアゾール２２ａ，２２ｂの周囲に巻き付けて固定してもよい。
【００７５】
図５は、実施例１〜５における毛髪化粧品の使用方法を示す状態図である。
図５に示すように、実施例１における吐出容器２および実施例２〜５における同時吐出容器２０を用いて染毛作業を行う際には、ブラシ上に各吐出容器２，２０から直接、染毛剤を吐出し、これらのブラシにて梳くことにより染毛対象である毛束あるいは毛髪に塗布した。また、比較例２ではブラシ上にチューブから直接、染毛剤を吐出し、そのブラシにて梳くことにより染毛対象である毛束あるいは毛髪に塗布した。
【００７６】
図６は、実施例１〜５，比較例２において使用するブラシの概略構成を示す説明図（正面図，左側面図，右側面図）である。図６中の正面図に示すように、このブラシは、ブラシの機能を果たすブラシ部と、櫛の機能を果たす櫛部と、使用者が把持するための把持部とを備えている。そして、図６中の左側側面図に示すように、ブラシ部は、表面が平面状のブラシ台と、ブラシ台の両端に設けられた細いブラシ歯である複数の細毛と、ブラシ台の中央寄りに設けられた突起とから構成される。尚、実施例１〜５，比較例２では、このブラシ部の中央領域に染毛剤を吐出して毛束あるいは毛髪に塗布するようにしている。また、突起は、例えば、頂部が丸みを帯び、全体がヘラ状を呈するようなものである。このような突起を設ければ染毛剤が垂れ落ちるのを防止することが可能となるので設けるのが好ましい。
【００７７】
一方、図６中の右側面図に示すように、櫛部は複数の櫛歯から構成される。また、把持部は、使用者に把持される把持部分と、ブラシ部および櫛部を支持する支持部分とから構成される（尚、櫛部においては、支持部分は複数の櫛歯を植設するために用いられる）。尚、実施例１〜５，比較例２において、染毛対象である毛束あるいは毛髪に染毛剤をブラシ部にて塗布した後に、毛束あるいは毛髪全体に染毛剤を伸ばす際に、この櫛部にて梳けば、染毛剤を均一に伸ばすことが可能となる。但し、毛髪においては、特に生え際等、部分的に塗布する必要がある場合には、ブラシ部を用いるだけで染毛剤を均一に伸ばすことが可能である。
【００７８】
また、比較例２において使用した第１剤を収納するチューブは、基材がアルミニウムからなり、内面がエポキシフェノール樹脂で被覆されたチューブである。また、第２剤を収納するチューブは、アルミニウム製の外側チューブの中にポリエチレン等の合成樹脂製の内側チューブを入れた二重チューブである。
【００７９】
次に、以上に示した実施例１〜５および比較例１〜３の内容に作成された毛髪化粧品を用い、表３，４に示した内容に基づいて染毛操作を行った。
そして、以下に示す基準にて、各実施例１〜５、各比較例での染毛の均一性および操作時の刺激臭の評価を行った。尚、染毛の均一性については、実験用に準備した毛束と、実際にパネラーの毛髪との２通りについて行った。
【００８０】
まず、染毛操作の方法と、評価基準について以下に説明する。
（１）染毛の均一性の評価Ａ（毛束染毛試験）
ヒトの黒髪と白髪の混合毛束（重量約２ｇで、白髪は約３０％）を、５重量％ラウリル硫酸ナトリウム５ｇにて洗浄し、更に、温水にて十分すすぎを行った。
【００８１】
そして、濡れた状態の混合毛髪から水分をふき取り、実施例１〜５および比較例１〜３の内容にて染毛剤組成物を毛束に塗布し、恒温槽（３７℃）中に放置した。
尚、比較例１，３における刷毛塗りを用いた染毛操作では、まず、第１，第２剤を各収納容器から混合用トレイ上に取り出して混合し、混合直後の染毛剤組成物約２ｇを毛束に塗布し、混合後１０分経過してから、別の毛束に染毛剤組成物約２ｇを塗布した。そして、混合してから３０分経過した後に両方の毛束を水洗し、評価を行った。
【００８２】
尚、１０分間の間隔を設けた理由は、実使用時の染毛操作の所要時間が約１０分であり、最初に塗布し始めた部分と、最後に塗布した部分の染毛結果の違いを確認するためである。
【００８３】
また、実施例１〜５および比較例２におけるブラシ塗りａ，ｂを用いた染毛操作では、ブラシを各実施例および各比較例について各２本準備し、刷毛塗りにおける第１，第２剤の混合時間と同じ時間に、各ブラシ上に第１，第２剤を各々約１ｇを載置した。即ち、第１，第２剤を載置した直後のブラシにて、この第１，第２剤を毛束に塗布した。次に、１０分経過後、第１，第２剤を載置した別のブラシにて、この第１，第２剤を毛束に塗布した。そして、最初のブラシに第１，第２剤を載置してから３０分が経過した後に、全ての毛束を水洗し、評価を行った。
【００８４】
また、ブラシ塗りａでは、第１，第２剤を別々に収納した容器（実施例１，比較例３：吐出容器、比較例１，２：チューブ）から、第１，第２剤をそれぞれブラシ上に載置するものである。そして、ブラシ塗りｂでは、同時吐出容器を使用し、第１，第２剤が混合された状態でブラシ上に載置するものである。
【００８５】
そして、染毛後の毛束は、下記に示す評価基準を基にして、専門のパネラー１０名により官能評価した。
（評価基準）
◎…８名以上が、
１０分の時間差のある毛束間で「染毛結果に差を見出せない」と評価した。      
【００８６】
○…６〜７名が、
１０分の時間差のある毛束間で「染毛結果に差を見出せない」と評価した。
△…４〜５名が、
１０分の時間差のある毛束間で「染毛結果に差を見出せない」と評価した。
【００８７】
×…３名以下が、
１０分の時間差のある毛束間で「染毛結果に差を見出せない」と評価した。
（２）染毛の均一性の評価Ｂ（ヒト染毛試験）
染毛剤を使用した経験を持たない、白髪のあるセミロングヘアーの女性モデルに、実施例１〜５および比較例１〜３の内容にてモデル自身で染毛操作を行ってもらい（各試験５名）、染毛後の仕上がりを下記の評価基準を基にして、専門のパネラー１０名により、各試験５名の結果を総合的に官能評価した。
【００８８】
（評価基準）
◎…８名以上が、
「塗布ムラが無く、全体が均一な仕上がりである」と評価した。
【００８９】
○…６〜７名が、
「塗布ムラが無く、全体が均一な仕上がりである」と評価した。
△…４〜５名が、
「塗布ムラが無く、全体が均一な仕上がりである」と評価した。
【００９０】
×…３名以下が、
「塗布ムラが無く、全体が均一な仕上がりである」と評価した。
（３）刺激臭の評価
染毛の均一性の評価Ｂにて染毛を行った被験者（女性モデル）に染毛時の刺激臭の有無について聞き取り調査を行い、評価した。
【００９１】
評価基準
◎…各被験者５名の内、４名以上が刺激臭を感じないと評価した。
○…各被験者５名の内、３名が刺激臭を感じないと評価した。
【００９２】
△…各被験者５名の内、２名が刺激臭を感じないと評価した。
×…各被験者５名の内、１名以下が刺激臭を感じないと評価した。
【００９３】
そして、各実施例１〜５、比較例１〜３の評価結果を表３および表４に示す。
【００９４】
【表３】
2005097310.tif 000005
【００９５】
【表４】
2005097310.tif 000006
【００９６】
以上の結果から明らかなように、実施例２，３の場合が最も染毛操作性が優れていることが判った。また、実施例１〜５は比較例１〜３のいずれよりも染毛操作性が優れていることが判った。
（実施例６〜８）
次に、以下に示す第１，第２剤の処方例を基に、各表５〜７に示した各実施例６〜８の内容に基づいて第１剤にカチオン性化合物を添加し、そして、第２剤にアニオン性化合物を添加した。そして、第１，第２剤を同時吐出容器に収納してブラシ上にこれら第１，第２剤を吐出し、染毛の均一性の評価Ｂと同様の方法にて染毛操作を行った。
【００９７】
＜処方例＞
（第１剤）                              重量％
ｐ−フェニレンジアミン                １．０
ｐ−アミノフェノール                  ０．２
ｏ−アミノフェノール                  １．０
レゾルシン                            １．５
ポリエキシエチレンアルキルエーテル    ３．０
セトステアリルアルコール              ８．０
流動パラフィン                        ２．０
エデト酸二ナトリウム                  ０．２
アスコルビン酸                        ０．５
カチオン性化合物                      表に記載
アンモニア                            ｐＨ９．５調整量
精製水                                残余
（第２剤）                              重量％
過酸化水素                            ６．０
エデト酸                              ０．５
セタノール                            ２．０
アニオン性化合物                      表に記載
フェナセチン                          ０．１
精製水                                残余
【００９８】
【表５】
2005097310.tif 000007
【００９９】
【表６】
2005097310.tif 000008
【０１００】
【表７】
2005097310.tif 000009
【０１０１】
実施例６〜８の結果、塗布ムラの発生を伴うことなく、毛髪を均一に染毛することができることが判った。また、以上の実施例１〜８によれば、いずれにおいても染毛操作性が優れていることが判明した。
【０１０２】
このように、本発明は、毛髪に塗布して使用する毛髪化粧剤の操作性を高め、速やかに、しかも、均一に毛髪化粧剤を毛髪に塗布することができ、毛髪化粧剤の効果を十分に発揮することが可能となる。
【０１０３】
以上、本発明の実施例について説明したが、本発明は上記実施例に限定されるものではなく、種々の態様を採ることができる。
ところで、図６に示したブラシは、単に実施例１〜５にて使用するのに限定されず、本発明の毛髪化粧剤を一般的に使用する際（即ち、実施例以外の実使用時を指す）に用いてもよい。
【０１０４】
また、本発明の毛髪化粧剤を一般的に使用する際には、図６に示したブラシを用いるのに限定されず、例えば、以下に説明するような図７に示すブラシを用いてもよい。
図７は、各種ブラシ歯を備えたブラシの概略構成を示す説明図（正面図，右側面図）である。このブラシは、ブラシ台、細毛、短いブラシ歯、長いブラシ歯から構成される。そして、表面が平面状のブラシ台の端部側には、長いブラシ歯が設けられ、その直ぐ内側に隣接した状態で細いブラシ歯である複数の細毛が設けられている。更に、ブラシ台の中央寄りには、短いブラシ歯が設けられている。
【０１０５】
尚、このブラシを用いる場合には、ブラシ台の中央部に染毛剤を吐出して毛束あるいは毛髪に塗布するようにすればよい。また、短いブラシ歯を設ければ染毛剤が垂れ落ちるのを防止することが可能となるので、このようなブラシ歯を設けるのが好ましい。更に、長いブラシ歯に隣接させて細毛を設ければ、毛束あるいは毛髪への塗布効果を高めることが可能となるので、このような細毛を設けるのが好ましい。
【０１０６】
また、図６および図７に示したブラシ以外に、本発明の毛髪化粧剤を一般的に使用する際に用いることができる他の形態のブラシとしては、例えば、挽き歯櫛、編み歯櫛、横型櫛、縦型櫛等を挙げることができる。
【図面の簡単な説明】
【０１０７】
【図１】実施例１，比較例３で使用する吐出容器２の概略構成を示す分解斜視図である。
【図２】吐出容器２の外観図である。
【図３】実施例２〜５で使用する同時吐出容器２０の概略構成を示す分解斜視図である。
【図４】同時吐出容器２０の外観図である。
【図５】染毛剤組成物の使用方法を示す状態図である。
【図６】実施例１〜５，比較例２で使用するブラシの概略構成を示す説明図である。
【図７】本発明の毛髪化粧剤を使用する際に用いることができるブラシの一例を示す説明図である。
【図８】染料に酸化剤を混合させた後の染料の残存量を示すグラフである。
【符号の説明】
【０１０８】
２，２０…吐出容器、４，２２ａ，２２ｂ…エアゾール缶、８，２４…ステム、１４，３２…操作部材、１６，３４…ノズル
【図１】
2005097310.tif 000010
【図２】
2005097310.tif 000011
【図３】
2005097310.tif 000012
【図４】
2005097310.tif 000013
【図５】
2005097310.tif 000014
【図６】
2005097310.tif 000015
【図７】
2005097310.tif 000016
【図８】
2005097310.tif 000017